(57)【要約】【課題】適度な硬度を有し、起泡力に優れた固体洗浄剤組成物を提供すること。【解決手段】Ｎ−アシルアスパラギン酸またはその塩およびＮ−アシルグリシンまたはその塩を含有する固体洗浄剤組成物。【選択図】なし【特許請求の範囲】
【請求項１】
Ｎ−アシルアスパラギン酸またはその塩およびＮ−アシルグリシンまたはその塩を含有する固体洗浄剤組成物。
【請求項２】
非イオン系界面活性剤、両性界面活性剤、カチオン系界面活性剤およびアニオン系界面活性剤からなる群から選ばれる１種または２種以上の界面活性剤をさらに含有する、請求項１に記載の固体洗浄剤組成物。
【請求項３】
固体ワックス、アルコール類、および酸化チタンからなる群から選ばれる１種または２種以上をさらに含有する、請求項１または２に記載の固体洗浄剤組成物
【請求項４】
固体洗浄剤組成物の水分含有量が、０．１〜１５質量％である、請求項１〜３に記載の固体洗浄剤組成物。
【発明の詳細な説明】
【技術分野】
【０００１】
本発明は固体洗浄剤組成物に関する。
【背景技術】
【０００２】
押し出し、圧縮、転造、注入等の成形手法で成形された固体状洗浄剤において、高級脂肪酸塩を主成分とする石鹸が最も汎用的に洗顔や身体洗浄剤として使用されてきた。
人体に対する刺激性の問題から、皮膚に対する刺激や毛髪に対する損傷が少なく優れた洗浄力を有するＮ−アシルアミノ酸系界面活性剤が注目されるようになり、Ｎ−アシルアミノ酸系界面活性剤を主成分とする固体洗浄剤組成物、あるいは高級脂肪酸塩を主成分としＮ−アシルアミノ酸系界面活性剤を添加した固体洗浄剤組成物が用いられるようになってきた。
しかしながら、Ｎ−アシルアミノ酸系界面活性剤は皮膚や毛髪に対する刺激性の点で優れる一方、皮膚及び毛髪の洗浄時の起泡力の点で改善が必要であった。また、固体洗浄剤組成物固有の課題としての溶け崩れの問題、経時における変形等の問題があった。これ等の改善を目的に数多くの提案がなされてきた。
【０００３】
例えば、特許文献１および２には、泡特性、使用感等の改善について、特許文献３−５には、固体洗浄剤組成物の固体性や溶け崩れ他の改善について関連する提案がなされている。また、特許文献６には、上記問題点を全て改善しようとする提案がなされている。
【先行技術文献】
【特許文献】
【０００４】
【特許文献１】特開平１１−１７２２７８号公報
【特許文献２】特開平６−５７２８９号公報
【特許文献３】特開平１１−３２３３７８号公報
【特許文献４】特開平４−５０３００号公報
【特許文献５】特開平３−５９０９９号公報
【特許文献６】特開２００５−３２５２４４号公報
【発明の概要】
【発明が解決しようとする課題】
【０００５】
しかしながら、特許文献１−６に開示された技術では、いずれも、溶け崩れを改善するために硬すぎて実際の使用では固体状洗浄剤は溶けにくくなり一層の改善が望まれている。
本発明が解決しようとする課題は、適度な硬度を有し、起泡力に優れた固体洗浄剤組成物を提供することにある。
【課題を解決するための手段】
【０００６】
本発明者等は、上記課題を解決すべく鋭意研究を重ねた結果、Ｎ−アシルアスパラギン酸またはその塩とＮ−アシルグリシンまたはその塩を含有することにより上記課題を解決できることを見いだし、本発明を完成させた。
【０００７】
すなわち、本発明は、下記のとおりである。
１．Ｎ−アシルアスパラギン酸またはその塩およびＮ−アシルグリシンまたはその塩を含有する固体洗浄剤組成物。
２．非イオン系界面活性剤、両性界面活性剤、カチオン系界面活性剤およびアニオン系界面活性剤からなる群から選ばれる１種または２種以上の界面活性剤をさらに含有する、前記１．に記載の固体洗浄剤組成物。
３．固体ワックス、アルコール類、および酸化チタンからなる群から選ばれる１種または２種以上をさらに含有する、前記１．または２．に記載の固体洗浄剤組成物
４．固体洗浄剤組成物の水分含有量が、０．１〜１５質量％である、前記１．〜３．に記載の固体洗浄剤組成物。
【発明の効果】
【０００８】
本発明の固体洗浄剤組成物は、適度な硬度を有し、起泡力に優れる。
【発明を実施するための形態】
【０００９】
以下、本発明を実施するための形態（以下、本実施の形態という。）について詳細に説明する。なお、本発明は、以下の実施の形態に限定されるものではなく、その要旨の範囲内で種々変形して実施することができる。
【００１０】
本実施の形態の固体洗浄剤組成物は、Ｎ−アシルアスパラギン酸またはその塩およびＮ−アシルグリシンまたはその塩を含有する。
【００１１】
Ｎ−アシルアスパラギン酸は、アスパラギン酸のアミノ基部分にカルボン酸とのアミド結合を有する化合物である。
アスパラギン酸は、Ｌ−体、Ｄ−体またはラセミ体であってもよく、また、Ｌ−体とＤ−体との任意の混合物であってもよい。
【００１２】
カルボン酸とアミノ基から形成されるＮ−アシル基は、飽和または不飽和であってもよく、直鎖状または分岐状であってもよい。
Ｎ−アシル基は、無置換であってもよく、水酸基、芳香族基等の置換基を有していてもよい。また、Ｎ−アシル基は、モノアシル基であってもジアシル基であってもよく、ジアシル基の場合、２種類以上のアシル基の組み合わせであってもよい。
【００１３】
Ｎ−アシル基に相当する脂肪酸としては、例えば、カプリル酸、カプリン酸、ラウリン酸、ミリスチン酸、パルミチン酸、ステアリン酸、イソステアリン酸、アラキジン酸、ベヘン酸、ウンデシレン酸、パルミトレイン酸、オレイン酸、リノール酸、リノレン酸、ヒドロキシステアリン酸、リシノール酸、ラノリン脂肪酸、ヤシ油脂肪酸、ひまし油脂肪酸、オリーブ油脂肪酸、パーム油脂肪酸、パーム核油脂肪酸等の高級脂肪酸が挙げられる。
中でも、好ましくは炭素数８〜１８の高級脂肪酸が挙げられ、より好ましくは炭素数が１２〜１８であり、さらに好ましくは炭素数が１４〜１８である。
１種のＮ−アシルアスパラギン酸を用いてもよく、Ｎ−アシル基が異なる２種以上のＮ−アシルアスパラギン酸を用いてもよい。
【００１４】
Ｎ−アシルアスパラギン酸の塩としては、例えば、ナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩等が挙げられる。
好ましくは、ナトリウム塩、カリウム塩、アンモニウム塩、トリエタノールアミン塩が挙げられ、より好ましくは、ナトリウム塩、カリウム塩、トリエタノールアミン塩が挙げられる。
Ｎ−アシルアスパラギン酸の塩としては、１価の陽イオンとの塩である場合には、モノ塩であってもよく、ジ塩であってもよい。
【００１５】
１種のＮ−アシルアスパラギン酸の塩を用いてもよく、Ｎ−アシル基が異なる、または塩が異なる２種以上のＮ−アシルアスパラギン酸の塩を用いてもよい。
Ｎ−アシルアスパラギン酸とＮ−アシルアスパラギン酸の塩をそれぞれ単独で用いてもよく、両者の混合物であってもよい。
【００１６】
固体洗浄剤組成物において、起泡力および硬度の観点で、Ｎ−アシルアスパラギン酸またはその塩を、好ましくは１〜１００質量部、より好ましくは１０〜９０質量部含有する。
【００１７】
Ｎ−アシルグリシンは、グリシンのアミノ基部分にカルボン酸とのアミド結合を有する化合物である。
【００１８】
カルボン酸とアミノ基から形成されるＮ−アシル基は、飽和または不飽和であってもよく、直鎖状または分岐状であってもよい。
Ｎ−アシル基は、無置換であってもよく、水酸基、芳香族基等の置換基を有していてもよい。また、Ｎ−アシル基は、モノアシル基であってもジアシル基であってもよく、ジアシル基の場合、２種類以上のアシル基の組み合わせであってもよい。
【００１９】
Ｎ−アシル基に相当する脂肪酸としては、例えば、カプリル酸、カプリン酸、ラウリン酸、ミリスチン酸、パルミチン酸、ステアリン酸、イソステアリン酸、アラキジン酸、ベヘン酸、ウンデシレン酸、パルミトレイン酸、オレイン酸、リノール酸、リノレン酸、ヒドロキシステアリン酸、リシノール酸、ラノリン脂肪酸、ヤシ油脂肪酸、ひまし油脂肪酸、オリーブ油脂肪酸、パーム油脂肪酸、パーム核油脂肪酸等の高級脂肪酸が挙げられる。
中でも、好ましくは炭素数８〜１８の高級脂肪酸が挙げられ、より好ましくは炭素数が１２〜１８であり、さらに好ましくは炭素数が１４〜１８である。
１種のＮ−アシルグリシンを用いてもよく、Ｎ−アシル基が異なる２種以上のＮ−アシルグリシンを用いてもよい。
【００２０】
Ｎ−アシルグリシンの塩としては、例えば、ナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩等が挙げられる。
好ましくは、ナトリウム塩、カリウム塩、アンモニウム塩、トリエタノールアミン塩が挙げられ、より好ましくは、ナトリウム塩、カリウム塩、トリエタノールアミン塩が挙げられる。
【００２１】
１種のＮ−アシルグリシンの塩を用いてもよく、Ｎ−アシル基が異なる、または塩が異なる２種以上のＮ−アシルグリシンの塩を用いてもよい。
Ｎ−アシルグリシンとＮ−アシルグリシンの塩をそれぞれ単独で用いてもよく、両者の混合物であってもよい。
【００２２】
固体洗浄剤組成物において、起泡力および硬度の観点で、Ｎ−アシルグリシンまたはその塩を、好ましくは１〜１００質量部、より好ましくは１０〜９０質量部含有する。
【００２３】
Ｎ−アシルアスパラギン酸またはその塩およびＮ−アシルグリシンまたはその塩との質量比は、好ましくは、１：９９〜９９：１であり、より好ましくは、１０：９０〜９０：１０である。
適度なバランスにすることにより適度な硬度と優れた泡立ちを有するが、バランスが悪くなると固くなったり溶け出したりする。
【００２４】
本実施の形態の固体洗浄剤組成物は、非イオン系界面活性剤、両性界面活性剤、カチオン系界面活性剤およびアニオン系界面活性剤からなる群から選ばれる１種または２種以上の界面活性剤をさらに含有することが好ましい。
本実施の形態において、上記界面活性剤には、Ｎ−アシルアスパラギン酸またはその塩およびＮ−アシルグリシンまたはその塩は含まれない。
【００２５】
固体洗浄剤組成物において、起泡力および硬度の観点で、界面活性剤を好ましくは０．００１〜５０質量部、より好ましくは０．０１〜４０質量部含有する。
【００２６】
非イオン系界面活性剤としては、例えば、ＰＯＥ（ポリオキシエチレン）オクチルエーテル、ＰＯＥラウリルエーテル、ＰＯＥミリスチルエーテル、ＰＯＥセチルエーテル、ＰＯＥステアリルエーテル、ＰＯＥオレイルエーテル、ＰＯＥイソステアリルエーテル、ＰＯＥベヘニルエーテル、ＰＯＥオクチル（２−エチル−ヘキシル）エーテル等のポリオキシエチレンアルキルエーテル；ＰＯＥ・ＰＯＰ（ポリオキシプロピレン）ブチルエーテル、ＰＯＥ・ＰＯＰラウリルエーテル、ＰＯＥ・ＰＯＰセチルエーテルＰＯＥ・ＰＯＰグリコール等のポリオキシエチレンポリオキシプロピレングリコール型；ＰＯＥオクチルフェニルエーテル、ＰＯＥノニルフェニルエーテル、ＰＯＥクロロフェニルエーテル、ポリオキシエチレンナフトールエーテル等のポリオキシエチレンアリールエーテル；ＰＯＥ硬化ひまし油エーテル、ＰＯＥひまし油エーテル；その他ＰＯＥラノリンアルコールエーテル、ＰＯＥフィトステロール等のエーテル系；モノステアリン酸ＰＯＥグリセリル、オレイン酸ＰＯＥグリセリル等のポリオキシエチレングリセリン脂肪酸エステル；モノラウリン酸ＰＯＥソルビタン、モノステアリン酸ＰＯＥソルビタン、トリステアリン酸ＰＯＥソルビタン、モノイソステアリン酸ＰＯＥソルビタン等のポリオキシエチレンソルビタン脂肪酸エステル；ヘキサステアリン酸ＰＯＥソルビトール、テトラステアリン酸ＰＯＥソルビトール、テトラオレイン酸ＰＯＥソルビトール、モノラウリン酸ＰＯＥソルビトール等のポリオキシエチレンソルビトール脂肪酸エステル；ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸等のポリエチレングリコール脂肪酸エステル；その他ポリエチレングリコールラノリン脂肪酸エステル等のエーテルエステル系；モノステアリン酸グリセリル、自己乳化型モノステアリン酸グリセリル、モノヒドロキシステアリン酸グリセリル、ジステアリン酸グリセリル等のグリセリン脂肪酸エステル；モノステアリン酸ジグリセリル、モノオレイン酸ジグリセリル、ジオレイン酸ジグリセリル、モノイソステアリン酸ジグリセリル、モノステアリン酸テトラグリセリル、トリステアリン酸テトラグリセリル、ペンタステアリン酸テトラグリセリル、モノラウリン酸ヘキサグリセリル、モノミリスチン酸ヘキサグリセリル、ジステアリン酸デカグリセリル、ジイソステアリン酸デカグリセリル等のポリグリセリン脂肪酸エステル；モノラウリン酸ソルビタン、モノステアリン酸ソルビタン、モノオレイン酸ソルビタン、トリオレイン酸ソルビタン、トリステアリン酸ソルビタン、モノイソステアリン酸ソルビタン等のソルビタン脂肪酸エステル；モノラウリン酸エチレングリコール等のエチレングリコール脂肪酸エステル；モノステアリン酸プロピレングリコール、自己乳化型モノステアリン酸プロピレングリコール等のプロピレングリコール脂肪酸エステル；モノステアリン酸ペンタエリスリトール、モノオレイン酸ペンタエリスリトール等のペンタエリスリトール脂肪酸エステル；マルチトールヒドロキシ脂肪酸エーテル、アルキル化多糖、アルキル（ポリ）グルコシド、シュガーエステル等の糖誘導体；α−モノイソステアリルグリセリルエーテル等のアルキルグリセリルエーテル；アセチル−モノグリ、乳酸モノグリセリド、クエン酸モノグリセリド等の有機酸モノグリセリド；ヤシ油脂肪酸モノエタノールアミド、ラウロイルモノエタノールアミド、ミリストイルモノエタノールアミド、ラウロイルジエタノールアミド、ヤシ油脂肪酸ジエタノールアミド、ラウロイルイソプロパノールアミド、ミリストイルイソプロパノールアミド、ヤシ油脂肪酸イソプロパノールアミド、ＰＯＥラウロイルモノエタノールアミド等の脂肪酸アルカノールアミド；ＰＯＥラウリルアミン、ＰＯＥステアリルアミン等のＰＯＥアルキルアミン；ラウリルジメチルアミンオキサイド、ココジメチルアミンオキサイド、ココアミドプロピルジメチルアミンオキサイド等のアミンオキサイド等；ポリグリコールジエステル等が挙げられる。
【００２７】
両性界面活性剤としては、例えば、ラウリルジメチルベタイン、ミリスチルジメチルベタイン、パルミチルジメチルベタイン、ステアリルジメチルベタイン、オレイルジメチルベタイン、ヤシ油アルキルジメチルベタイン、ラウリルメチルエチルベタイン、オクタデシルオキシメチルジメチルベタイン、ラウリルジヒドロキシエチルベタイン、ステアリルジヒドロキシエチルベタイン、ヤシ油アルキルジヒドロキシエチルベタイン、ラウリン酸アミドプロピルジメチルベタイン、ミリスチン酸アミドプロピルジメチルベタイン、ステアリン酸アミドプロピルジメチルベタイン、オレイン酸アミドプロピルジメチルベタイン、ヤシ油脂肪酸アミドプロピルジメチルベタイン等のカルボキシベタイン型；ＲＮ+Ｈ2ＣＨ2ＣＯＯ-（Ｒ：アルキル）で示されるラウリルグリシン、ステアリルグリシン等のグリシン型；ＲＮ+Ｈ2ＣＨ2ＣＨ2ＣＯＯ-（Ｒ：アルキル）で示されるラウリル−β−アラニン、ステアリル−β−アラニン等のアミノプロピオン酸型；ラウリルジメチルヒドロキシプロピルスルホベタイン、ミリスチルジメチルヒドロキシプロピリルスルホベタイン、ラウリルジメチルプロピルスルホベタイン、ヤシ油アルキルジメチルプロピルスルホベタイン、ラウリン酸アミドプロピルジメチルヒドロキシプロピルスルホベタイン等のスルホベタイン型；ＲＮ+Ｈ2ＣＨ2ＣＨ2ＳＯ3-（Ｒ：アルキル）で示されるスルホン酸型；ＲＮ+Ｈ2ＣＨ2ＣＨ2ＯＳＯ3-（Ｒ：アルキル）で示される硫酸型；ラウリルアミノプロピオン酸ナトリウム、ラウリルアミノジプロピオン酸ナトリウム、Ｎ−ラウロイル−Ｎ−ヒドロキシエチル−Ｎ´−ジカルボキシエチル−エチレンジアミン２ナトリウム、Ｎ−ラウロイル−Ｎ−ヒドロキシエチル−Ｎ´−カルボキシエチル−エチレンジアミンナトリウム、Ｎ−ラウロイル−Ｎ´−カルボキシメチル−Ｎ´−ヒドロキシエチルエチレンジアミンナトリウム、Ｎ−ヤシ脂肪酸アシル−Ｎ´−カルボキシエチル−Ｎ´−ヒドロキシエチルエチレンジアミンナトリウム、Ｎ−ラウロイル−Ｎ−ヒドロキシエチル−Ｎ´−ジカルボキシメチル−エチレンジアミン２ナトリウム、Ｎ−ラウロイル−Ｎ−ヒドロキシエチル−Ｎ´−カルボキシメチル−エチレンジアミンナトリウム、Ｎ−ヒドロキシドデシル−Ｎ−ポリオキシエチレン−Ｎ´−カルボキシエチル−Ｎ´−ポリオキシエチレンエチレンジアミンナトリウム等のアミノカルボン酸塩型；２−ラウリル−Ｎ−カルボキシメチル−Ｎ−ヒドロキシエチルイミダゾリニウムベタイン、２−ミリスチル−Ｎ−カルボキシメチル−Ｎ−ヒドロキシエチルイミダゾリニウムベタイン、２−ステアリル−Ｎ−カルボキシメチル−Ｎ−ヒドロキシエチルイミダゾリニウムベタイン、２−ヤシ油アルキル−Ｎ−カルボキシメチル−Ｎ−ヒドロキシエチルイミダゾリニウムベタイン等のイミダゾリン型；ＲＮ+Ｈ2ＣＨ（ＣＨ3）Ｐ（ＯＨ）Ｏ2-（Ｒ：アルキル）で示されるリン酸型；レシチン等が挙げられる。
【００２８】
カチオン系界面活性剤としては、例えば、ラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ヤシ油アルキルトリメチルアンモニウムクロライド、牛脂アルキルトリメチルアンモニウムクロライド、ステアリルトリメチルアンモニウムブロミド、ヤシ油アルキルトリメチルアンモニウムブロミド、セチルトリメチルアンモニウムメチル硫酸等のモノアルキル第四級アンモニウム塩；ジオクチルジメチルアンモニウムクロライド、ジラウリルジメチルアンモニウムクロライド、ジステアリルジメチルアンモニウムクロライド等のジアルキル第四級アンモニウム塩；ラノリン脂肪酸アミノプロピルエチルジメチルアンモニウムエチル硫酸、ラウロイルアミノエチルメチルジエチルアンモニウムメチル硫酸等のアシルアミノアルキル第四級アンモニウム塩；ジパルミチルポリエテノキシエチルアンモニウムクロライド、ジステアリルポリエテノキシメチルアンモニウムクロライド等のアルキルエテノキシ第四級アンモニウム塩；ラウリルイソキノリニウムクロライド等のアルキルイソキノリニウム塩；ラウリルジメチルベンジルアンモニウムクロライド、ステアリルジメチルベンジルアンモニウムクロライド等のベンザルコニウム塩；ベンジルジメチル｛２−［２−（ｐ-１,１,３,３、-テトラメチルブチルフェノオキシ）エトオキシ］エチル｝アンモニウムクロライド等のベンゼトニウム塩；セチルピリジニウムクロライド等のピリジニウム塩；イミダゾリニウム塩；Ｎ−ココイルアルギニンエチルエステルピロリドンカルボン酸塩、Ｎ−ラウロイルリジンエチルエチルエステル塩酸塩等のアシル塩基性アミノ酸アルキルエステル塩；ラウリルアミン塩酸塩等の第一級アミン塩；ジラウリルアミン酢酸塩等の第二級アミン塩；第三級アミン塩；脂肪酸アミドグアニジニウム塩；ラウリルトリエチレングリコールアンモニウムハイドロオキサイド等のアルキルトリアルキレングリコールアンモニウム塩等が挙げられる。
【００２９】
アニオン系界面活性剤としては、例えば、ラウリル硫酸ナトリウム、ラウリル硫酸カリウム、ミリスチル硫酸ナトリウム、ミリスチル硫酸カリウム、セチル硫酸ナトリウム、ステアリル硫酸ナトリウム、オレイル硫酸ナトリウム、ラウリル硫酸トリエタノールアミン等のアルキル硫酸およびその塩；ポリオキシエチレンラウリルエーテル硫酸ナトリウム、ポリオキシエチレンセチルエーテル硫酸ナトリウム、ポリオキシエチレンオレイルエーテル硫酸ナトリウム、ポリオキシエチレンラウリルエーテル硫酸トリエタノールアミン等のアルキルエーテル硫酸およびその塩；ポリオキシエチレンオクチルフェニルエーテル硫酸ナトリウム等のアルキルアリールエーテル硫酸およびその塩；ポリオキシエチレンラウリン酸アミドエーテル硫酸ナトリウム、ポリオキシエチレンラウリン酸アミドエーテル硫酸トリエタノールアミン、ポリオキシエチレンミリスチン酸アミドエーテル硫酸ナトリウム、ポリオキシエチレンオレイン酸アミドエーテル硫酸ナトリウム、ポリオキシエチレンヤシ油脂肪酸アミドエーテル硫酸ナトリウム、オレイン酸アミドエーテル硫酸ナトリウム等のアルキルアミド硫酸およびその塩；硬化ヤシ油脂肪酸グリセリン硫酸ナトリウム等のアシルエステル硫酸およびその塩；ラウリルスルホン酸ナトリウム、ミリスチルスルホン酸ナトリウム、ヤシ油アルキルスルホン酸ナトリウム等のアルキルスルホン酸およびその塩；リニアドデシルベンゼンスルホン酸ナトリウム、リニアドデシルベンゼンスルホン酸トリエタノールアミン等のアルキルベンゼンスルホン酸およびその塩；アルキルナフタレンスルホン酸およびその塩；ナフタレンスルホン酸塩のホルマリン重縮合物等のホルマリン縮合系スルホン酸およびその塩；スルホコハク酸ラウリル２ナトリウム、ジ−２−エチルヘキシルスルホコハク酸ナトリウム、ポリオキシエチレンスルホコハク酸ラウリル２ナトリウム、オレイン酸アミドスルホコハク酸２ナトリウム等のスルホコハク酸およびその塩；ドデセンスルホン酸ナトリウム、テトラデセンスルホン酸ナトリウム、ドデセンスルホン酸カリウム、デトラデセンスルホン酸カリウム等のα−オレフィンスルホン酸およびその塩；α−スルホラウリン酸メチルエステル、α−スルホミリスチン酸メチルエステル、α−スルホラウリン酸（ＥＯ）ｎメチルエステル等のα−スルホ脂肪酸エステルおよびその塩；ヤシ油脂肪酸アシル−Ｎメチルタウリンカリウム、ラウロイル−Ｎメチルタウリンナトリウム、ラウロイル−Ｎメチルタウリンカリウム、ラウロイル−Ｎメチルタウリントリエタノールアミン、ミリストイル−Ｎメチルタウリンナトリウム、ミリストイル−Ｎメチルタウリントリエタノールアミン、ヤシ油脂肪酸アシル−Ｎメチルタウリンナトリウム、ヤシ油脂肪酸アシル−Ｎメチルタウリントリエタンールアミン等のＮ−アシルメチル−タウリンおよびその塩；ラウロイルイセチオン酸ナトリウム、ミリストイルイセチオン酸ナトリウム、ヤシ油脂肪酸アシルイセチオン酸ナトリウム等のアシルイセチオン酸およびその塩；アルキルスルホ酢酸塩；ポリオキシエチレンラウリルエーテルリン酸ナトリウム、ポリオキシエチレンセチルエーテルリン酸ナトリウム、ポリオキシエチレンミリスチルリン酸カリウム��ポリオキシエチレンオレイルエーテルリン酸ナトリウム、ジポリオキシエチレンオレイルエーテルリン酸ナトリウム等のアルキルエーテルリン酸およびその塩；アルキルアリールエーテルリン酸およびその塩；ポリオキシエチレンラウリルアミドエーテルリン酸ナトリウム等の脂肪酸アミドエーテルリン酸およびその塩；ラウリルリン酸ナトリウム、ミリスチルリン酸ナトリウム、ヤシ油脂肪酸リン酸ナトリウム、ミリスチルリン酸カリウム、ラウリルリン酸トリエタノールアミン、オレイルリン酸ジエタノールアミン等のアルキルリン酸およびその塩；Ｎ−ラウロイルグルタミン酸ナトリウム、Ｎ−ミリストイルグルタミン酸ナトリウム、Ｎ−ヤシ油脂肪酸アシルグルタミン酸ナトリウム、Ｎ−ラウロイルグルタミン酸カリウム、Ｎ−ミリストイルグルタミン酸カリウム、Ｎ−ヤシ油脂肪酸アシルグルタミン酸カリウム、Ｎ−ラウロイルグルタミン酸トリエタノールアミン、Ｎ−ミリストイルグルタミン酸トリエタノールアミン、Ｎ−ヤシ油脂肪酸アシルグルタミン酸トリエタンールアミン、Ｎ−ラウロイルグリシンナトリウム、Ｎ−ミリストイルグリシントリエタノールアミン、Ｎ−ラウロイル−β−アラニンカリウム、Ｎ−ラウロイルスレオニントリエタノールアミン、Ｎ−ラウロイルサルコシンナトリウム、Ｎ−ラウロイル−Ｎ−メチル−β−アラニンナトリウム、Ｎ−ラウロイル−Ｎ−メチル−β−アラニントリエタノールアミン等のＮ−アシルアミノ酸およびその塩；ラウロイルイミノジ酢酸ナトリウム、ラウロイルイミノジ酢酸トリエタノールアミン、ヤシ油脂肪酸アシルイミノジ酢酸ナトリウム、ラウロイルイミノジ酢酸ジナトリウム、パーム核脂肪酸イミノジ酢酸ナトリウム等のアシルイミノジ酢酸およびその塩；ポリオキシエチレンラウリルエーテル酢酸ナトリウム、ポリオキシエチレンミリスチルエーテル酢酸カリウム、ポリオキシエチレンパルミチルエーテル酢酸トリエタノールアミン、ポリオキシエチレンステアリルエーテル酢酸ナトリウム、ポリグリセリルラウリルエーテル酢酸ナトリウム等のエーテルカルボン酸およびその塩；ヤシ油脂肪酸シルクペプチド等のアシル化ペプチド；ポリオキシエチレンラウリン酸アミドエーテルカルボン酸ナトリウム、ポリオキシエチレンミリスチン酸アミドエーテルカルボン酸ナトリウム、ポリオキシエチレンヤシ油脂肪酸アミドエーテルカルボン酸トリエタノールアミン等のアミドエーテルカルボン酸およびその塩；アシル乳酸塩；アルケニルコハク酸およびその塩等が挙げられる。
【００３０】
本実施の形態の固体洗浄剤組成物は、固体ワックス、アルコール類、および酸化チタンからなる群から選らばれる１種または２種以上をさらに含有することが好ましい。
【００３１】
本実施の形態の固体洗浄剤組成物が固体ワックスをさらに含有すると、溶け崩れ、容器への付着性、溶解性の改善等に効果がある。
固形ワックスとしては、例えば、ラウリルアルコール、セチルアルコール、ステアリルアルコール、ベヘニルアルコール、イソステアリルアルコール、オレイルアルコール、ラノリンアルコール、水添ラノリンアルコール、ヘキシルデカノール、オクチルドデカノール等の高級アルコールや融点が４０〜１００℃程度のマイクロクリスタリンワックス、パラフィンワックス、セレシン等の炭化水素系、カルナウバろう、キャンデリラろう、鯨ろう、ミツろう等のろう系等が挙げられる。
固体ワックスは、１種で用いてもよく、２種以上の混合物として用いてもよい。
固体ワックスの添加量は、１〜２０質量部が好ましい。
【００３２】
本実施の形態の固体洗浄剤組成物がアルコール類をさらに含有すると、適度な柔軟性や透明性、溶解性の改善に効果ある。
アルコール類としては、例えば、エタノール等の低級アルコール、エチレングリコール、ジエチレングリコール、トリエチレングリコール、ポリエチレングリコール、プロピレングリコール、ジプロピレングリコール、ポリプロピレングリコール、１，３−ブチレングリコール、グリセリン、ジグリセリン、ブドウ糖、ショ糖、果糖、ソルビトール、マルトース、マンニトール、マルチトール、ラフィノース、トレハロース、プルラン、ペクチン、乳糖、キシリット、カラギーナン、アルギン酸等のアルコール類が挙げられる。
アルコール類は、１種で用いてもよく、２種以上の混合物として用いてもよい。
アルコール類の添加量は、０．０１〜１０質量部が好ましい。
【００３３】
本実施の形態の固体洗浄剤組成物が酸化チタンをさらに含有すると、固さの調整や溶け崩れ防止効果がある。
酸化チタンの添加量は、０．０００１〜１０質量部が好ましい。
【００３４】
本実施の形態において、固体洗浄組成物には、その効果を損なわない範囲において、レシチンとその誘導体、ラノリンとその誘導体、コラーゲンとその誘導体等の併用が泡質や表面の感触の改良に役立つ。
また、固体洗浄剤組成物には、その効果を損なわない範囲において、通常、洗浄剤または化粧料として用いられる各種成分を、その目的に応じて適宜配合することができる。
これらの成分としては、例えば、炭酸カルシウム、タルク、マイカ、カオリン、二酸化亜鉛等の粉末成分；ホホバ油、マカデミアナッツ油、アボガド油、月見草油、ミンク油、ナタネ油、ヒマシ油、ヒマワリ油、トーモロコシ油、カカオ油、ヤシ油、コメヌカ油、オリーブ油、アーモンド油、ごま油、サフラワー油、大豆油、椿油、パーシック油、ヒマシ油、ミンク油、綿実油、モクロウ、パーム油、パーム核油、卵黄油、スクワレン等の天然動植物油脂類；合成トリグリセライド；スクワラン、流動パラフィン、ワセリン、イソパラフィン等の炭化水素類；；コレステリル−オクチルドデシル−ベヘニル等のコレステロールおよびその誘導体；イソプロピルミリスチン酸、イソプロピルパルミチン酸、イソプロピルステアリン酸、２エチルヘキサン酸グリセロール、ブチルステアリン酸、リノール酸エチル等のエステル類；ジエチレングリコールモノプロピルエーテル、ポリオキシエチレンポリオキシプロピレンペンタエリトリトールエーテル、ポリオキシプロピレンブチルエーテル等の極性オイル；メチルフェニルポリシロキサン、メチルポリシロキサン、オクタメチルシクロテトラシロキサン、デカメチルシクロペンタシロキサン、ドデカメチルシクロヘキサシロキサン、メチルシクロポリシロキサン、オクタメチルトリシロキサン、デカメチルテトラシロキサン、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルハイドロジェンポリシロキサン、テトラヒドロテトラメチルシクロテトラシロキサン、ステアロキシメチルポリシロキサン、セトキシメチルポリシロキサン、メチルポリシロキサンエマルション、高重合メチルポリシロキサン、トリメチルシロキシケイ酸、架橋型メチルポリシロキサン、架橋型メチルフェニルポリシロキサン等、更にはアミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸エステル変性シリコーン、親水性特殊変性シリコーン、高級アルコキシ変性シリコーン、高級脂肪酸含有シリコーン、フッ素変性シリコーン等の各種誘導体を含むシリコーン類；パラアミノ安息香酸およびその誘導体、ホモメチル−７Ｎ−アセチルアラントイラニレート、ブチルメトキシベンゾイルメタン、ジ−パラメトキシケイ皮酸−モノ−２−エチルヘキサン酸グリセリル、オクチルシンナメート等のパラメトキシケイ皮酸誘導体、アミルサリシレート等のサリチル酸誘導体、２，４−ジヒドロキシベンゾフェノン等のベンゾフェノン誘導体、ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；アルブチン、コウジ酸、リン酸アスコルビン酸マグネシウムなどのアスコルビン酸およびその誘導体、グルタチオン、甘草エキス、チョウジエキス、茶抽出物、アスタキサンチン、牛胎盤エキス、トコフェロールおよびその誘導体、トラネキサム酸およびその塩、アズレン、γ−ヒドロキシ酪酸等の美白成分；ピロリドンカルボン酸ソーダ、乳酸ソーダ、クエン酸ソーダなど有機酸およびその塩、ヒアルロン酸ソーダなどヒアルロン酸およびその塩、酵母および酵母抽出液の加水分解物、酵母培養液、乳酸菌培養液など醗酵代謝産物、コラーゲン、エラスチン、ケラチン、セリシン等の水溶性蛋白、コラーゲン加水分解物、カゼイン加水分解物、シルク加水分解物、ポリアスパラギン酸ナトリウム等のぺプチド類およびその塩、結晶性セルロース、非結晶性セルロース、キシラン、マンナン、ガラクタン、アラビナン、アラビノキシラン等の多糖類およびその誘導体、水溶性キチン、キトサン、ペクチン、コンドロイチン硫酸およびその塩等のグリコサミノグリカンおよびその塩、グリシン、セリン、スレオニン、アラニン、アスパラギン酸、チロシン、バリン、ロイシン、アルギニン、グルタミン、プロリン酸等のアミノ酸、アミノカルボニル反応物等の糖アミノ酸化合物、アロエ、マロニエ等の植物抽出液、トリメチルグリシン、尿酸、アンモニア、レシチン、スクワラン、スクワレン、グルコサミン、クレアチニン、ＤＮＡ、ＲＮＡ等の核酸関連物質等の保湿剤；カルボキシメチルセルロース、ヒドロキシエチルセルロース、ヒドロキシプロピルトリメチルアンモニウムクロリドエーテル、エチルセルロース、ヒドロキシプロピルセルロース、メチルヒドロキシプロピルセルロース、デンプン、可溶性デンプン、カルボキシメチルデンプン、メチルデンプン、アルギン酸プロピレングリコールエステル、メチルセルロース、アラビアガム、キサンタンガム、グアーガム、ローカストビンガム、クインスシード、デキストラン、サクシノグルカン、カードラン、ゼラチン、カゼイン、アルブミン、メトキシエチレン無水マレイン酸共重合体、両性メタクリル酸エステル共重合体、ポリ塩化ジメチルメチレンピペリジニウム、ポリアクリル酸エステル共重合体、ポリ酢酸ビニル、ポリビニルアルコール、ポリビニルピロリドン、ポリビニルメチルエーテル、カルボキシビニルポリマー、ポリアクリル酸、ニトロセルロース、ポリエチレングリコール脂肪酸エステル、ジステアリン酸ポリエチレングリコール等のポリオキシエチレン脂肪酸エステル、ポリオキシエチレンジオレイン酸メチルグルコシド等のポリオキシエチレン脂肪酸エステルメチルグリコシド等の増粘剤；エチレンジアミン四酢酸およびその塩類、ヒドロキシエチレンジアミン３酢酸およびその塩類、リン酸、アスコルビン酸、コハク酸、グルコン酸、ポリリン酸塩類、メタリン酸塩類などの金属イオン封鎖剤；有機溶剤、ブチルヒドロキシトルエン、トコフェロール、フィチン酸等の酸化防止剤；クエン酸、リンゴ酸、酒石酸、乳酸、アジピン酸、グルタミン酸、アスパラギン酸、マレイン酸等の有機酸；ビタミンＡ及びその誘導体；ビタミンＢ６塩酸塩、ビタミンＢ６トリパルミテート、ビタミンＢ６ジオクタノエート、ビタミンＢ２及びその誘導体等のビタミンＢ類；アスコルビン酸、アスコルビン酸硫酸エステル、アスコルビン酸リン酸エステル等のビタミンＣ類、αトコフェ��ール、βトコフェロール、γトコフェロール等のビタミンＥ類、ビタミンＤ類、ビタミンＨ、パントテン酸等のビタミン類；ニコチン酸アミド、ニコチン酸ベンジル、γ−オリザノール、アラントイン、グリチルリチン酸（塩）グリチルレチン酸およびその誘導体、ヒノキチオール、ムシジン、ビサボロール、ユーカリプトール、チモールイノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥおよびその誘導体、ガンマーオリザノールなどの血行促進剤；トウガラシチンキ、ショオウキョウチンキ、カンタリスチンキ、ニコチン酸ベンジルエステルなどの局所刺激剤、各種ビタミンやアミノ酸などの栄養剤、グリチルレチン酸、グリチルリチン酸誘導体、アラントイン、アズレン、アミノカプロン酸、ヒドロコルチゾンなどの抗炎症剤；酸化亜鉛、硫酸亜鉛、アラントインヒドロキシアルミニウム、塩化アルミニウム、スルホ石炭酸亜鉛、タンニン酸などの収斂剤；メントール、カンフルなどの清涼剤；抗ヒスタミン剤；トコフェロール類、ＢＨＡ、ＢＨＴ、没食子酸、ＮＤＧＡ、ユビキノンなどの酸化防止剤等の各種薬剤；サッカロマイセスなどの酵母、糸状菌、バクテリア、牛胎盤、人胎盤、人臍帯、酵母、牛コラーゲン、牛乳由来蛋白、小麦、大豆、牛血液、ブタ血液、鶏冠、カミツレ、キュウリ、コメ、シアバター、シラカバ、茶、トマト、ニンニク、ハマメリス、バラ、ヘチマ、ホップ、モモ、アンズ、レモン、キウイ、ドクダミ、トウガラシ、クララ、ギシギシ、コウホネ、セージ、ノコギリ草、ゼニアオイ、センキュウ、センブリ、タイム、トウキ、トウヒ、バーチ、スギナ、ヘチマ、マロニエ、ユキノシタ、アルニカ、ユリ、ヨモギ、シャクヤク、アロエ、アロエベラ、オウゴン、オウバク、コウカ、ベニバナ、サンシン、シコン、タイソウ、チンピ、ニンジン、ヨクイニン、ハトムギ、クチナシ、サワラ等の動植物・微生物およびその一部から有機溶媒、アルコール、多価アルコール、水、水性アルコール等で抽出または加水分解して得た天然エキス；色素；香料；コレステロール、サポニン等の天然界面活性剤；アルギン酸ナトリウム、澱粉誘導体、トラガントゴム等の高分子界面活性等を配合することができる。
固体洗浄剤組成物には、精製水等の水を含有していてもよく、一般的に固体状洗浄剤は水分量が少ないと硬く、多いと柔らかくなるが、固体洗浄剤組成物の水分含有量が、０．１〜１５質量％であれば適度な硬さを有するため好ましく、より好ましくは３〜１２質量％、さらに好ましくは５〜１０質量％であることが好適である。
本実施の形態において、各種配合成分を混合する際に、水を適宜混合して、固体洗浄剤組成物を得ることができる。
【００３５】
本実施の形態において、固体洗浄剤組成物は、上記Ｎ−アシルアスパラギン酸またはその塩と、上記Ｎ−アシルグリシンまたはその塩とを、また、必要に応じて、上記界面活性剤、上記固体ワックス、アルコール類、酸化チタン、その他の添加剤を配合して、公知の方法により混合することにより得ることができる。
【００３６】
固体洗浄剤組成物は、ニーダー、ロール等により混合した後、押し出し、圧縮、転造、注入等の成形手法により成形することが好ましい。
【００３７】
本実施の形態の固体洗浄剤組成物は、石鹸、洗濯用洗剤、台所用洗剤、靴磨きよう洗剤等として用いることができる。
本実施の形態に固体洗浄剤組成物は、適度な硬度を有し、起泡力に優れた固体洗浄剤組成物である。また、本実施の形態の固体洗浄剤組成物は、溶け崩れ性や使用感にも優れ（手洗浄においても優れる）、豊かな泡立ちを有する。
【実施例】
【００３８】
以下、本実施の形態を実施例および比較例により更に具体的に説明するが、本実施の形態はこれらの実施例のみに限定されるものではない。なお、本実施の形態に用いられる、洗浄剤組成物の諸物性の測定は以下の方法により行った。
【００３９】
表１に記載の配合成分として以下のものを用いた。
【００４０】
＜起泡力の測定＞
固体状洗浄剤組成物を溶質として１ｇとり精製水で３００ｇにし、ミキサーに入れ３０秒間ミキサーにて撹拌し、直後の泡の高さ（ｍｍ）を起泡力とした。測定温度は２５℃とした。得られた結果を次の基準により判定した。
◎：起泡力が１８０ｍｍ以上
○：起泡力が１７０ｍｍ以上、１８０ｍｍ未満
△：起泡力が１６０ｍｍ以上、１７０ｍｍ未満
×：起泡力が１６０ｍｍ未満
【００４１】
＜硬度の測定＞
サン科学社製レオメーター（ＣＲ−２００Ｄ  アダプターＮＯ．４使用）にて測定を実施し、次の基準により判定した。
×：１２０００ｋｇ／ｃｍ2以上
○：９０００ｋｇ／ｃｍ2以上１２００ｋｇ／ｃｍ2未満
◎：４０００ｋｇ／ｃｍ2以上９０００ｋｇ／ｃｍ2未満
○：２０００ｋｇ／ｃｍ2以上４０００ｋｇ／ｃｍ2未満
×：２０００ｋｇ／ｃｍ2以下
【００４２】
＜総合評価＞
上記試験結果で×が1つもなければ◎、×が１つあれば×とした。
【００４３】
［実施例１］
表１に記載の配合成分および割合（質量部）でロールを用いて混合し、押し出し、次いで型打ちして固体洗浄剤組成物を調製した。
得られた固体洗浄剤組成物について評価を行い、結果を表１に示す。
【００４４】
［実施例２〜１０］
実施例１と同様にして、固体洗浄剤組成物を調製した。評価結果を表１に示す。
【００４５】
実施例１〜１０で得られた固体洗浄剤組成物は、起泡力、硬度において優れた結果を示した。
【００４６】
［比較例１〜７］
表２に記載の配合成分および割合（質量％）とした以外は、実施例１と同様にして、固体洗浄剤組成物を調製した。評価結果を表２に示す。
【００４７】
比較例１、２、４〜７で得られた固体洗浄剤組成物は起泡力においては優れた結果を示したが、硬度においては劣っていた。
また、比較例３で得られた固体洗浄剤組成物は硬度においては優れた結果を示したが、起泡力においては劣っていた。
【００４８】
【表１】
2010202760.tif 000002
【００４９】
【表２】
2010202760.tif 000003
【産業上の利用可能性】
【００５０】
本発明の固体洗浄剤組成物は、適度な硬度を持ち且つ起泡力に優れているので、化粧品並びに洗浄用途の分野で好適に利用できる。